【事件の表示】
　特願２００１−１０１１７５「液晶表示装置の駆動回路」拒絶査定不服審判事件〔平成１４年１０月１１日出願公開、特開２００２−２９７１０９〕について、次のとおり審決する。
【結　論】
　本件審判の請求は、成り立たない。
【理　由】
１　手続の経緯　 
　本願は、平成１３年３月３０日の出願であって、平成２２年４月１日付けで手続補正がなされた後、平成２２年４月１４日付けで拒絶査定がなされ、これに対して平成２２年７月１６日に拒絶査定不服審判の請求がなされ、同時に手続補正がなされ、その後、平成２３年５月３０日付けで当審から審尋がなされたが、これに対して指定期間を過ぎても回答がなかったものである。
　
２　平成２２年７月１６日付けの手続補正について
　平成２２年７月１６日付けの手続補正（以下「本願補正」という。）は、願書に最初に添付した明細書又は図面に記載した事項の範囲内においてするものであり、また、特許請求の範囲についてした補正は、請求項の削除を目的とする補正に該当するから、本件補正は適法な補正である。　
　
３　本願発明
　本願の請求項１には、「ｊをｍより小さい正の整数としたとき、前記ｍ本のブロック選択信号線に応じて、ｉ番目の前記ドライバ出力ラインをｉ，ｉ＋２ｊ、・・・、ｉ＋２ｊ×（ｍ−１）番目の前記データライン（に順次接続するスイッチ）」と記載されているが、この記載は、以下に説示するとおり意味不明であるから、請求項１に係る発明を請求項１に記載された発明を特定する事項のとおりに認定することができない。
　
（１）請求項１の記載不備
　本願の明細書の【０００５】ないし【００１４】に記載された、発明が解決しようとする課題に照らし、ドライバ出力ラインがｎ本の場合、ｍ個のブロックを順次選択するためには、データラインは、ｎ×ｍ本あることが前提となる、換言すると、データラインの最後の番目は、〔ｎ×ｍ〕番目となるところ、本願の図３には、ｍが４の場合、データラインの最後の番目は、〔４ｎ〕番目となることが図示されている。
　そして、赤、緑、青の３色のデータ扱う請求項１に係る発明の実施例である「第２の実施形態」が図示された本願の図面の図４によれば、ｍが４の場合の、データラインの一部が図示されている。
　そこで、請求項１に記載された「ｊをｍより小さい正の整数としたとき、前記ｍ本のブロック選択信号線に応じて、ｉ番目の前記ドライバ出力ラインをｉ，ｉ＋２ｊ、・・・、ｉ＋２ｊ×（ｍ−１）番目の前記データライン」なる記載を検討する。
　ドライバ出力ラインがｎ本の場合、上記「ｉ番目」は、１番目，２番目，・・・ｎ番目であるから、データラインの最後の番目は、ｉがｎで、ｊが２のときであり、〔ｎ＋２×２×（ｍ−１）〕番目である。この値は、〔ｎ×ｍ〕と相違し、上記した前提を満たさないから、請求項１の上記ライバ出力ラインとデータラインとの接続関係に関する記載は誤りである。
　そこで、当審は、ドライバ出力ラインとデータラインとの接続関係を図４に基づいて認定する。
　
（２）本願発明の認定　
　本願の図４には、ｍが４で、ｊが２であるとき、
　例えば、１番目の前記ドライバ出力ラインは、１，３，５，７番目のデータラインに接続され、２番目の前記ドライバ出力ラインは、２，４，６，８番目のデータラインに接続され、３番目の前記ドライバ出力ラインは、９，１１，１３，１５番目のデータラインに接続され、４番目の前記ドライバ出力ラインは、１０，１２，１４，１６番目のデータラインに接続され、以下同様な接続関係で、ドライバ出力ラインとデータラインとは接続されていることが図示されている。
　
　この接続関係を一般化すると、以下のとおりである。
ｊをｍより小さい正の整数としたとき、
ｉ番目のドライバ出力ラインを、
　ｉが奇数の場合、
１＋（ｉ−１）×ｍ＋ｊ×０，　１＋（ｉ−１）×ｍ＋ｊ×１，　・・・，１＋（ｉ−１）×ｍ＋ｊ×（ｍ−１）番目のデータラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目のデータラインに接続するということである。
　なお、図４の第２の実施例は、ｍが４で、ｊが２の場合である。
　また、「ｍ本のブロック選択信号線」（３行目）は、ｍ個のブロック信号を伝送するｍ本のブロック信号線の誤記であることは明らかである。
　
　したがって、請求項１に記載された
「ｊをｍより小さい正の整数としたとき、前記ｍ本のブロック選択信号に応じて、ｉ番目の前記ドライバ出力ラインをｉ、ｉ＋２ｊ、・・・、ｉ＋２ｊ×（ｍ−１）番目の前記データラインに順次接続するスイッチ」は、
ｊをｍより小さい正の整数としたとき、
ｉ番目の前記ドライバ出力ラインを、
　ｉが奇数の場合、
１＋（ｉ−１）×ｍ＋ｊ×０，　１＋（ｉ−１）×ｍ＋ｊ×１，　・・・，　１＋（ｉ−１）×ｍ＋ｊ×（ｍ−１）番目の前記データラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目の前記データラインに順次接続するスイッチと認定する。
　
　よって、請求項１に係る発明は、平成２２年４月１日付けの手続補正、及び平成２２年７月１６日付けの手続補正によって補正された明細書及び図面の記載からみて、以下の事項により特定されるものと認める。
　「ポリシリコン液晶表示装置の駆動回路であって、
　データラインドライバの出力に接続される複数のドライバ出力ラインと、
　ｍ個のブロックを順次選択するためのｍ個のブロック選択信号を伝送するｍ本のブロック選択信号線と、
　表示エリアにデータを供給するための複数のデータラインと、
　ｊをｍより小さい正の整数としたとき、
ｉ番目の前記ドライバ出力ラインを、
　ｉが奇数の場合、
１＋（ｉ−１）×ｍ＋ｊ×０，　１＋（ｉ−１）×ｍ＋ｊ×１，　・・・，１＋（ｉ−１）×ｍ＋ｊ×（ｍ−１）番目の前記データラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目の前記データラインにに順次接続するスイッチとを有し、
　前記複数のドライバ出力ラインには、赤、緑及び青の３色のデータが順に並んで並列に入力され、前記複数のデータラインでは、赤、緑及び青の３色のデータが順に並んで並列に出力され、
　奇数番目の前記データラインと偶数番目の前記データラインには相互に基準電圧に対して正負反対電圧が供給され、各データラインの正負極性が交互に反転される液晶表示装置の駆動回路。」（以下「本願発明」という。）
　
４　引用刊行物
４−１
　原査定の拒絶の理由に引用され、本願の出願前に頒布された刊行物である特開平１０−３０７５６７号公報（以下「引用刊行物１」という。）には、「表示装置」（発明の名称）について、以下の記載事項１ないし記載事項８が図面とともに記載されている。
＜記載事項１＞　
「【発明の詳細な説明】
【０００１】
【発明の属する技術分野】この発明は、液晶表示装置などの平面型表示装置に係り、特に薄膜トランジスタにより画素をスイッチングする素子及び駆動回路を同一基板上に形成した駆動回路一体型表示装置に関する。」
＜記載事項２＞
「【０００２】
【従来の技術】液晶表示装置は、薄型、軽量、低消費電力、狭額縁の特徴をいかして、テレビ表示用途、ＯＡ用途をはじめとして、各種分野で利用されるようになってきた。この液晶表示装置を安価に実現する方法として、液晶表示装置を攻勢する透明基板上に駆動回路を一体的に集積化する方法が考えられている。」
＜記載事項３＞
「【０００７】
【発明が解決しようとする課題】ところが上記の液晶表示装置においては、アナログスイッチと映像信号バスの結線部分とこのアナログスイッチに接続されない他の映像信号バスとの交差個所が多くなってしまい、交差個所で結線部分と映像信号バスとの間に浮遊容量が形成されてしまう。するとこの映像信号バス上を伝達される映像信号の帯域が狭くなり、良好な画像表示が得られないという問題があった。
【０００８】特に液晶表示装置の大画面化、高精細化がすすむにつれて駆動回路のブロック数を増やす必要があるため、浮遊容量の影響が多大となるおそれがある。この発明は、上記の技術的背景に鑑み、大画面化、高精細化に対応して良好な表示の得られる駆動回路一体型表示装置を提供することを目的とする。」
＜記載事項４＞
「【０００９】
【課題を解決するための手段】本発明は、上述の課題を解決するために、信号線駆動ブロック毎に映像信号バスを個別に配置し、表示パネル基板の外部からこれら信号線グループ用に供給される個別の映像信号を受け取り、これら個別の映像信号に基づいて前記信号線グループを駆動する動作を並列的に行う複数の信号線駆動ブロックを含む表示装置を用いる。」
＜記載事項５＞
「【００１１】
【発明の実施の形態】以下、本発明の実施例を図面を参照して説明する。
（実施例１）図１は液晶表示装置の回路配置を概略的に示す。この液晶表示装置は例えばテレビ放送画像をカラー表示するアクティブマトリクス液晶表示パネルである。この液晶表示装置は、ガラス基板を用いた表示パネル基板７０１と、表示パネル基７０１上においてマトリクス状にアレイされる複数の表示画素７１０と、
複数の表示画素７１０の列に沿って表示パネル基板７０１上に形成される複数の信号線７０７
液晶表示装置は表示パネル基板７０１上において複数の表示画素７１０の外側に形成される走査線駆動回路ＹＤおよび信号線駆動回路ＸＤとをさらに備える。これら信号線駆動回路ＸＤおよび走査線駆動回路ＹＤはスイッチ素子７０９の薄膜トランジスタと同一工程で形成される薄膜トランジスタを用いて形成される。走査線駆動回路ＹＤは複数の走査線７０８に接続され、１垂直走査期間毎にこれら複数の走査線７０８を線順次に駆動する。信号線駆動回路ＸＤは複数の信号線７０７に接続され、１行の表示画素がこれら表示画素に沿って形成された走査線の駆動により選択される１水平走査期間毎に複数の信号線７０７を駆動する。これら走査線駆動回路ＹＤおよび信号線駆動回路ＸＤは表示パネル基板７０１の外部に配置される表示パネルコントローラ７０２によって制御される。」
＜記載事項６＞
「【００１４】信号線駆動回路ＸＤは図２に示すように複数の信号線７０７を各々所定数の隣接信号線７０７で構成される複数の信号線グループに区分するよう配列され、
表示パネルコントローラ７０２からこれら信号線グループ用に供給される個別の映像信号ＳＶ１−ＳＶ８
＜記載事項７＞
「【００１５】信号線駆動ブロック１１、１２、１３、１４は奇数列映像信号ＳＶ１、ＳＶ３、ＳＶ５、ＳＶ７を伝送する第１伝送線１０５、１０７、１０９、１１１と、偶数列映像信号ＳＶ２、ＳＶ４、ＳＶ６、ＳＶ８を伝送する第２伝送線１０６、１０８、１１０、１１２と、６本の隣接信号線７０７にそれぞれ割当てられると共に第１伝送線１０５、１０７、１０９、１１１および第２伝送線１０６、１０８、１１０、１１２に交互に割当てられ各々対応伝送線上の映像信号をサンプリングし対応信号線７０７に供給する一群のアナログスイッチ１１３、１１４、１１５、１１６と、伝送線数に等しい２つの隣接アナログスイッチ１１３、１１４、１１５、１１６で各々構成される複数のアナログスイッチグループにアナログスイッチ１１３、１１４、１１５、１１６をそれぞれ区分しこれら複数のアナログスイッチグループを順次サンプリング動作させるタイミング制御回路として構成されるモノクロック型のシフトレジスタ１０１、１０２、１０３、１０４とを備える。これらコンポーネントは信号線駆動ブロック相互において同様に構成される。複雑化を避けるために
６本の隣接信号線で各信号線グループを構成した場合には、アナログスイッチグループ数が３となる。
シフトレジスタ１０１、１０２、１０３、１０４とアナログスイッチ１１３、１１４、１１５、１１６とを結ぶ接続配線
第１伝送線１０５、１０７、１０９、１１１は奇数番目のアナログスイッチ１１３、１１４、１１５、１１６を介して奇数番目の信号線７０７に接続され、第２伝送線１０６、１０８、１１０、１１２は偶数番目のアナログスイッチ１１３、１１４、１１５、１１６を介して偶数番目の信号線７０７に接続される。
シフトレジスタ１０１、１０２、１０３、１０４は直列に接続されるアナログスイッチグループに等しい数のフリップフロップで構成され、先頭フリップフロップに入力されるスタートパルスＳＴをクロックＣＫに応答して最終フリップフロップまで順方向にシフトされることにより出力端ＳＲ１１、ＳＲ１２、ＳＲ１３；ＳＲ２１、ＳＲ２２、ＳＲ２３；ＳＲ３１、ＳＲ３２、ＳＲ３３；ＳＲ４１、ＳＲ４２、ＳＲ４３から順次イネーブル信号を発生する。
＜記載事項８＞
「【００１６】
図３は信号線駆動回路ＸＤの動作を示す。シフトレジスタ１０１、１０２、１０３、１０４は図３に示すようにクロックＣＫに応答して出力端ＳＲ１１、ＳＲ１２、ＳＲ１３；ＳＲ２１、ＳＲ２２、ＳＲ２３；ＳＲ３１、ＳＲ３２、ＳＲ３３；ＳＲ４１、ＳＲ４２、ＳＲ４３から順次イネーブル信号を発生する動作を並列的に行う。
奇数列映像信号ＳＶ１、ＳＶ３、ＳＶ５、ＳＶ７および偶数列映像信号ＳＶ２、ＳＶ４、ＳＶ６、ＳＶ８の両方が第１から第３クロックサイクルでイネーブル信号を受け取ったアナログスイッチグループにより順次サンプリングされ、対応する信号線７０７に供給される。
　なお、下線は、当審が付した。
　
　記載事項１ないし記載事項８（【０００１】ないし【００１６】）、及び図１，２に記載された第１実施例に基づいて、引用刊行物１に記載された発明を認定する。
（１）
　【００１１】の「この液晶表示装置は例えばテレビ放送画像をカラー表示するアクティブマトリクス液晶表示パネルである。」及び「液晶表示装置は表示パネル基板７０１上において複数の表示画素７１０の外側に形成される走査線駆動回路ＹＤおよび信号線駆動回路ＸＤとをさらに備える」との記載から、カラー表示する液晶表示装置の信号線駆動回路ＸＤを読み取ることができる。
　
（２）
　【００１４】の「表示パネルコントローラ７０２からこれら信号線グループ用に供給される個別の映像信号ＳＶ１−ＳＶ８」との記載、及び【００１５】の「第１および第２伝送線１０５および１０６、１０７および１０８、１０９および１１０、１１１および１１２はそれぞれ独立に表示パネルコントローラ７０２に接続される映像信号バスを構成する。」との記載から、映像信号ＳＶ１−ＳＶ８を供給する表示パネルコントローラ７０２に接続され、映像信号バスを構成する第１伝送線および第２伝送線（１０５ないし１１２）を読み取ることができる。
　
（３） 
　【００１６】には、「図３は信号線駆動回路ＸＤの動作を示す。シフトレジスタ１０１、１０２、１０３、１０４は図３に示すようにクロックＣＫに応答して出力端ＳＲ１１、ＳＲ１２、ＳＲ１３；ＳＲ２１、ＳＲ２２、ＳＲ２３；ＳＲ３１、ＳＲ３２、ＳＲ３３；ＳＲ４１、ＳＲ４２、ＳＲ４３から順次イネーブル信号を発生する動作を並列的に行う。すなわち、イネーブル信号は第１クロックサイクルで出力端ＳＲ１１、ＳＲ２１、ＳＲ３１およびＳＲ４１から出力され、第２クロックサイクルで出力端ＳＲ１２、ＳＲ２２、ＳＲ３２、ＳＲ４２から出力され、第３クロックサイクルで出力端ＳＲ１３、ＳＲ２３、ＳＲ３３およびＳＲ４３から出力され、以降のクロックサイクルがあれば上述と同様の形式で出力される。これにより、奇数列映像信号ＳＶ１、ＳＶ３、ＳＶ５、ＳＶ７および偶数列映像信号ＳＶ２、ＳＶ４、ＳＶ６、ＳＶ８の両方が第１から第３クロックサイクルでイネーブル信号を受け取ったアナログスイッチグループにより順次サンプリングされ、対応する信号線７０７に供給される。」と記載されている。
　この記載から、第１クロックサイクル、第２クロックサイクル、及び第３クロックサイクルで順次発生するイネーブル信号を発生するためのシフトレジスタ１０１，１０２，１０３，１０４を読み取ることができる。
（４）【００１１】の「複数の表示画素７１０の列に沿って表示パネル基板７０１上に形成される複数の信号線７０７」との記載、及び
 【００１６】の 「奇数列映像信号ＳＶ１、ＳＶ３、ＳＶ５、ＳＶ７および偶数列映像信号ＳＶ２、ＳＶ４、ＳＶ６、ＳＶ８の両方が第１から第３クロックサイクルでイネーブル信号を受け取ったアナログスイッチグループにより順次サンプリングされ、対応する信号線７０７に供給される。」との記載から、複数の表示画素７１０の列に沿って形成される複数の信号線７０７であって、映像信号ＳＶ１ないしＳＶ８が供給される複数の信号線７０７を読み取ることができる。
　
（５）
　【００１５】に「第１伝送線１０５、１０７、１０９、１１１は奇数番目のアナログスイッチ１１３、１１４、１１５、１１６を介して奇数番目の信号線７０７に接続され、第２伝送線１０６、１０８、１１０、１１２は偶数番目のアナログスイッチ１１３、１１４、１１５、１１６を介して偶数番目の信号線７０７に接続される。」との記載がある。
　そして、図２において、信号駆動ブロック１１ないし１４に属する信号線７０７をそれぞれ左から順に７０７−１，７０７−２，７０７−３，・・・，７０７−２４とすると、アナログスイッチ１１３は、イネーブル信号に応じて１番目の第１伝送線１０５を１番目の信号線７０７−１，３番目の信号伝送線７０７−３、５番目の信号伝送線７０７−５に、また、アナログスイッチ１１４は、２番目の第２伝送線１０６を２番目の信号線７０７−２，４番目の信号伝送線７０７−４、６番目の信号伝送線７０７−６に、・・・、アナログスイッチ１１６は、８番目の信号伝送線１１２を２０番目の信号線７０７−２０，２２番目の信号伝送線７０７−２２、２４番目の信号伝送線７０７−２４に順次するものである。
　
（６）
　【００１１】に「この液晶表示装置は例えばテレビ放送画像をカラー表示するアクティブマトリクス液晶表示パネルである。」との記載がある。
　したがって、映像信号バスを構成する第１伝送線（１０５ないし１１２）には、赤、緑及び青の３色のデータが入力されること、及び２４本の信号線７０７では、赤、緑及び青の３色のデータが出力されることは明らかである。
　
　よって、記載事項１ないし記載事項８（【０００１】ないし【００１６】）、及び図面の記載から、引用刊行物１には、
「カラー表示する液晶表示装置の信号線駆動回路ＸＤであって、
映像信号ＳＶ１−ＳＶ８を供給する表示パネルコントローラ７０２に接続され、映像信号バスを構成する第１伝送線および第２伝送線（１０５ないし１１２）と、
　第１クロックサイクル、第２クロックサイクル、及び第３クロックサイクルで順次発生するイネーブル信号を発生するためのシフトレジスタ１０１，１０２，１０３，１０４と、
　複数の表示画素７１０の列に沿って形成される複数の信号線７０７であって、映像信号ＳＶ１ないしＳＶ８が供給される複数の信号線７０７と、
　イネーブル信号に応じて１番目の第１伝送線１０５を１番目の信号線７０７−１，３番目の信号伝送線７０７−３、５番目の信号伝送線７０７−５に、また、２番目の第２伝送線１０６を２番目の信号線７０７−２，４番目の信号伝送線７０７−４、６番目の信号伝送線７０７−６に、・・・、８番目の信号伝送線１１２を２０番目の信号線７０７−２０，２２番目の信号伝送線７０７−２２、２４番目の信号伝送線７０７−２４に順次するアナログスイッチ１１３，１１４，１１５，１１６とを有し、
　映像信号バスを構成する第１伝送線（１０５ないし１１２）には、赤、緑及び青の３色のデータが入力され、２４本の信号線７０７では、赤、緑及び青の３色のデータが出力されるカラー表示する液晶表示装置の信号線駆動回路ＸＤ。」の発明（以下「引用発明１」という。）が記載されていると認められる。
　
４−２
　同じく、原査定の拒絶の理由に引用され、本願の出願前に頒布された刊行物である特開昭６２−１４７４８８号公報（以下「引用刊行物２」という。）には、「アクテイブマトリクス方式表示装置用駆動回路」（発明の名称）について、以下の記載事項１ないし記載事項７が図面とともに記載されている。
＜記載事項１＞　
「〔発明の利用分野〕
　本発明は、マトリクス配置したスイッチング素子と液晶等の表示要素から成る画素を有する
アクティブマトリクス方式表示装置用並列点順次駆動回路
＜記載事項２＞
「〔発明の目的〕
　本発明の目的は、上記従来技術の問題を解決し、動作速度の遅いスイッチング素子を用いたアクティブマトリクス方式表示装置の駆動回路を改良し、回路規模を小さくしたアクティブマトリクス方式表示装置様並列点順次駆動回路を提供するにある。」（公報２ページ左上欄１０〜１５行）
＜記載事項３＞　
「〔発明の実施例〕
　以下、本発明の実施例を図面を用いて説明する。
　
第１図は
駆動回路の第一の実施例を示す構成図、第２図は第１図の回路の動作波形図であって、１，２は水平走査用の多段のシフトレジスタ
＜記載事項４＞
「第１図において、水平走査用のシフトレジスタ１，２には、映像信号Ｖ１の水平走査周波数に同期し、表示パネル１１の水平方向の画素数に相当するクロックパルスφＨと、水平有効表示期間Ｈｄの丁度中央の時刻からパネル上への水平走査書込みを開始させる走査開始信号ＳＨが加えられると共に、
シフトレジスタｌ，２の各段の出力が容量４とスイッチング素子であるＭＯＳトランジスタ３とで構成されるサンプルホールド回路に供給される。
＜記載事項５＞　
「また、全ての液晶セルの片方の電極は共通に接続され、液晶を交流駆動する場合は信号電圧の中点電位、直流駆動する場合は接地又は電源電位に接続される。」（公報２ページ右下欄１９行〜３ページ左上欄３行）
＜記載事項６＞
「ところで、テレビジョン画像を表示する液晶表示装置においては、表示画面の大型化、走査回路の基板への内蔵などの点を考慮すると、表示パネル１１のアクティブマトリクス基板としてａ−Ｓｉ（アモルファスシリコン）基板を用いた方が存利である。ところが、ａ−Ｓｉ基板は移動度が小さいために、これに形成されるＭＯＳトランジスタは必然的に応答速度が低いものとなる。」（公報３ページ右上欄８〜１５行）
＜記載事項７＞　
「以上の説明において、
シフトレジスタ１，２
これをそれぞれ独立に設けないで、第３図に示したように、どちらか段数の多い方のシフトレジスタ（図ではしジスタｌ）を共用し
　なお、下線は当審が付した。
　
　記載事項１ないし記載事項８、及び図面の記載から、引用刊行物２には、
アクティブマトリクス方式の液晶表示装置の駆動回路において、第１図に図示された第一の実施例のように、例えば２つのシフトレジスタを用いた場合、シフトレジスタｌ，２の各出力と各スイッチング素子とが１対１の関係で配線接続されるものや、第３図に図示された第二の実施例のように、シフトレジスタｌ，２を１つのシフトレジスタで共用し、シフトレジスタの各出力と各スイッチング素子とが１対２の関係で配線接続される技術事項が記載されている。
　
４　対比
　本願発明と引用発明１とを対比する。
（１）引用発明１の「カラー表示する液晶表示装置の信号線駆動回路ＸＤ」と本願発明の「ポリシリコン液晶表示装置の駆動回路」との相当関係について
　引用発明１の「カラー表示する液晶表示装置」と本願発明の「ポリシリコン液晶表示装置」とは、液晶表示装置の点で共通する。そして、引用発明の「信号線駆動回路ＸＤ」は、本願発明の「駆動回路」に相当する。
　したがって、引用発明１の「カラー表示する液晶表示装置の信号線駆動回路ＸＤ」と本願発明の「ポリシリコン液晶表示装置の駆動回路」とは、液晶表示装置の駆動回路の点で共通する。
　
（２）引用発明１の「映像信号ＳＶ１−ＳＶ８を供給する表示パネルコントローラ７０２に接続され、映像信号バスを構成する第１伝送線および第２伝送線（１０５ないし１１２）」と本願発明の「データラインドライバの出力に接続される複数のドライバ出力ライン」との相当関係について
　
ア　本願発明の「データラインドライバ」は、液晶表示パネルにデータを供給する機能を有することを考慮すると（本願明細書の【００１８】）、引用発明１の「映像信号ＳＶ１−ＳＶ８」は、本願発明の「データラインドライバ」における「データ」に相当し、引用発明１の「表示パネルコントローラ７０２」は、本願発明の「データラインドライバ」の機能を有することは明らかである。
　したがって、引用発明１の「映像信号ＳＶ１−ＳＶ８を供給する表示パネルコントローラ７０」は、本願発明の「データラインドライバ」に相当する。
　
イ　次に、引用発明１の「映像信号バスを構成する第１伝送線および第２伝送線（１０５ないし１１２）」は、本願発明の「複数のドライバ出力ライン」に相当する。
　
ウ　以上「ア」及び「イ」から、引用発明１の「映像信号ＳＶ１−ＳＶ８を供給する表示パネルコントローラ７０２に接続され、映像信号バスを構成する第１伝送線および第２伝送線（１０５ないし１１２）」は、本願発明の「データラインドライバの出力に接続される複数のドライバ出力ライン」に相当する。
　　
（３）引用発明１の「第１クロックサイクル、第２クロックサイクル、及び第３クロックサイクルで順次発生するイネーブル信号を発生するためのシフトレジスタ１０１，１０２，１０３，１０４」と本願発明の「ｍ個のブロックを順次選択するためのｍ個のブロック選択信号を伝送するｍ本のブロック選択信号線」との相当関係について
　
ア　
（ア）本願発明の「ｍ個のブロックを順次選択する」ことについて、本願明細書には、直接的に説明する箇所はないが、本願発明の「ブロック選択信号線」の機能について、本願明細書には、例えば、以下の記載がある。
「【００４４】
　まず、ブロック選択信号線ＢＬ１がハイレベルになると、ドライバ出力ラインＯＵＴ１〜ＯＵＴ６等は、それぞれスイッチＳ１，Ｓ２，Ｓ９，Ｓ１０，Ｓ１７，Ｓ１８等を介して、データＲ０００１，Ｇ０００１，Ｂ０００３，Ｒ０００４，Ｇ０００６，Ｂ０００６等を表示エリアに供給する。」
　してみると、本願発明でいう「ｍ個のブロックを順次選択する」とは、本願発明の液晶表示装置における表示エリアを構成するｍ個のブロックを順次選択することにあるといえる。
　
（イ）一方、引用発明１の「第１クロックサイクル、第２クロックサイクル、及び第３クロックサイクルで順次発生するためのイネーブル信号」に関して、引用刊行物１には、以下の記載がある。
「【００１６】・・・奇数列映像信号ＳＶ１、ＳＶ３、ＳＶ５、ＳＶ７および偶数列映像信号ＳＶ２、ＳＶ４、ＳＶ６、ＳＶ８の両方が第１から第３クロックサイクルでイネーブル信号を受け取ったアナログスイッチグループにより順次サンプリングされ、対応する信号線７０７に供給される。」
「【００１１】・・・複数の表示画素７１０の列に沿って表示パネル基板７０１上に形成される複数の信号線７０７」
　これらの記載によれば、引用発明１の「第１クロックサイクル、第２クロックサイクル、及び第３クロックサイクルで順次発生するイネーブル信号」は、表示パネル基板７０１上に形成された複数の表示画素７１０の列を、第１クロックサイクル、第２クロックサイクル、及び第３クロックサイクルの３つのクロックサイクルに対応する、３つの表示領域を、順次選択するために用いられることは明らかである。
　そして、引用発明１の「第１クロックサイクル、第２クロックサイクル、及び第３クロックサイクルで順次発生するイネーブル信号を発生」した結果、順次選択される、３つの表示領域は、本願発明において、ｍ個が３個の場合の「表示エリアを構成するｍ個のブロック」に相当する。
　また、引用発明１の「第１クロックサイクル、第２クロックサイクル、及び第３クロックサイクルで順次発生するイネーブル信号」は、本願発明の「ｍ個のブロック選択信号」におけるｍが３の場合に相当する。
　
（ウ）　してみると、引用発明１の「第１クロックサイクル、第２クロックサイクル、及び第３クロックサイクルで順次発生するイネーブル信号」は、本願発明の「ｍ個のブロック選択信号」に相当する。また、引用発明１の「第１クロックサイクル、第２クロックサイクル、及び第３クロックサイクルで順次発生するイネーブル信号を発生するため」は、本願発明の「ｍ個のブロックを順次選択するため」に相当する。
　　
イ　引用発明１の「第１クロックサイクル、第２クロックサイクル、及び第３クロックサイクルで順次発生するイネーブル信号を発生するシフトレジスタ１０１，１０２，１０３，１０４」と本願発明の「ｍ個のブロック選択信号を伝送するｍ本のブロック選択信号線」との相当関係について検討する。
　上記「ア（イ）」で述べたとおり、引用発明１の「第１クロックサイクル、第２クロックサイクル、及び第３クロックサイクルで順次発生するイネーブル信号」は、本願発明の「ｍ個のブロック選択信号」におけるｍが３の場合に相当するから、引用発明１の「第１クロックサイクル、第２クロックサイクル、及び第３クロックサイクルで順次発生するイネーブル信号を発生するシフトレジスタ１０１，１０２，１０３，１０４」も本願発明の「ｍ個のブロック選択信号を伝送するｍ本のブロック選択信号線」も、ｍ個のブロック選択信号を出力する部分といえる。
　
ウ　上記「ア」及び「イ」をまとめると、
　引用発明１の「第１クロックサイクル、第２クロックサイクル、及び第３クロックサイクルで順次発生するイネーブル信号を発生するためのシフトレジスタ１０１，１０２，１０３，１０４」と本願発明の「ｍ個のブロックを順次選択するためのｍ個のブロック選択信号を伝送するｍ本のブロック選択信号線」とは、ｍ個のブロックを順次選択するためのｍ個のブロック選択信号を出力する部分の点で共通する。　
　
（４）引用発明１の「複数の表示画素７１０の列に沿って形成される２４本の信号線７０７であって、映像信号ＳＶ１ないしＳＶ８が供給される２４本の信号線７０７」は、本願発明の「表示エリアにデータを供給するための複数のデータライン」に相当する。
　
（５）引用発明１の「イネーブル信号に応じて１番目の第１伝送線１０５を１番目の信号線７０７−１，３番目の信号伝送線７０７−３、５番目の信号伝送線７０７−５に、また、２番目の第２伝送線１０６を２番目の信号線７０７−２，４番目の信号伝送線７０７−４、６番目の信号伝送線７０７−６に、・・・、８番目の信号伝送線１１２を２０番目の信号線７０７−２０，２２番目の信号伝送線７０７−２２、２４番目の信号伝送線７０７−２４に順次接続するアナログスイッチ１１３，１１４，１１５，１１６」と、
本願発明の「ｊをｍより小さい正の整数としたとき、
ｉ番目の前記ドライバ出力ラインを、
　ｉが奇数の場合、
１＋（ｉ−１）×ｍ＋ｊ×０，　１＋（ｉ−１）×ｍ＋ｊ×１，　・・・，１＋（ｉ−１）×ｍ＋ｊ×（ｍ−１）番目の前記データラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目の前記データラインに順次接続するスイッチ」との相当関係について
　
ア　本願発明の「前記ｍ個のブロック選択信号に応じて」の技術的意味を検討する。
　本願明細書には、前記ｍ個のブロック選択信号を伝送するブロック選択信号線とスイッチとの関係について、例えば、以下の記載がある。
「【００４４】
　まず、ブロック選択信号線ＢＬ１がハイレベルになると、ドライバ出力ラインＯＵＴ１〜ＯＵＴ６等は、それぞれスイッチＳ１，Ｓ２，Ｓ９，Ｓ１０，Ｓ１７，Ｓ１８等を介して、データＲ０００１，Ｇ０００１，Ｂ０００３，Ｒ０００４，Ｇ０００６，Ｂ０００６等を表示エリアに供給する。」
　つまり、本願発明の「前記ｍ個のブロック選択信号に応じて」におけるブロック選択信号は、表示エリアにおけるｍ個のブロックを選択するための信号である。
　
　一方、「（３）ア（イ）」で述べたとおり、引用発明１の「第１クロックサイクル、第２クロックサイクル、及び第３クロックサイクルで順次発生するイネーブル信号を発生」した結果、順次選択される、３つの表示領域は、本願発明において、ｍ個が３個の場合の「表示エリアを構成するｍ個のブロック」に相当する。
　してみると、引用発明１の「第１クロックサイクル、第２クロックサイクル、及び第３クロックサイクルで順次発生するイネーブル信号に応じて」は、本願発明の「前記ｍ個のブロック選択信号に応じて」に相当する。
　
イ　引用発明１の
「１番目の第１伝送線１０５を１番目の信号線７０７−１，３番目の信号伝送線７０７−３、５番目の信号伝送線７０７−５に、また、２番目の第２伝送線１０６を２番目の信号線７０７−２，４番目の信号伝送線７０７−４、６番目の信号伝送線７０７−６に、・・・、８番目の信号伝送線１１２を２０番目の信号線７０７−２０，２２番目の信号伝送線７０７−２２、２４番目の信号伝送線７０７−２４に順次接続する」と、
本願発明の
「ｊをｍより小さい正の整数としたとき」、
「ｉ番目の前記ドライバ出力ラインを、
　ｉが奇数の場合、
１＋（ｉ−１）×ｍ＋ｊ×０，　１＋（ｉ−１）×ｍ＋ｊ×１，　・・・，１＋（ｉ−１）×ｍ＋ｊ×（ｍ−１）番目の前記データラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目の前記データラインに順次接続する」との相当関係について
（ア）引用発明１の「第１伝送線１０５」等における伝送線は、本願発明の「ドライバ出力ライン」に相当し、また、引用発明１の「１番目の信号線７０７−１」等における信号線は、本願発明の「データライン」に相当する。
（イ）そして、引用発明１の伝送線が８本あり、信号伝送線は、１本の伝送線に３本ずつ上記の関係で接続されており、
　引用発明１は、本願発明において、ｉが１ないし８であり、ｍが３であり、ｊが２の場合に相当する。
　具体的には、
ｉが１の場合、第１伝送線は、　１　，３，　５番目の信号伝送線に接続する。
ｉが２の場合、第２伝送線は、　２，　４，　６番目の信号伝送線に接続する。
ｉが３の場合、第３伝送線は、　７，　９，１１番目の信号伝送線に接続する。
ｉが４の場合、第４伝送線は、　８，１０，１２番目の信号伝送線に接続する。
ｉが５の場合、第５伝送線は、１３，１５，１７番目の信号伝送線に接続する。
ｉが６の場合、第６伝送線は、１４，１６，１８番目の信号伝送線に接続する。
ｉが７の場合、第７伝送線は、１９，２１，２３番目の信号伝送線に接続する。
ｉが８の場合、第８伝送線は、２０，２２，２４番目の信号伝送線に接続する。
　
ウ　上記ア及びイから、
　引用発明１の「イネーブル信号に応じて１番目の第１伝送線１０５を１番目の信号線７０７−１，３番目の信号伝送線７０７−３、５番目の信号伝送線７０７−５に、また、２番目の第２伝送線１０６を２番目の信号線７０７−２，４番目の信号伝送線７０７−４、６番目の信号伝送線７０７−６に、・・・、８番目の信号伝送線１１２を２０番目の信号線７０７−２０，２２番目の信号伝送線７０７−２２、２４番目の信号伝送線７０７−２４に順次接続するアナログスイッチ１１３，１１４，１１５，１１６」は、
本願発明の「ｊをｍより小さい正の整数としたとき、
ｉ番目の前記ドライバ出力ラインを、
　ｉが奇数の場合、
１＋（ｉ−１）×ｍ＋ｊ×０，　１＋（ｉ−１）×ｍ＋ｊ×１，　・・・，１＋（ｉ−１）×ｍ＋ｊ×（ｍ−１）番目の前記データラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目の前記データラインに順次接続するスイッチ」に相当する。
　
（６）引用発明１の「映像信号バスを構成する第１伝送線（１０５ないし１１２）には、赤、緑及び青の３色のデータが入力され、２４本の信号線７０７では、赤、緑及び青の３色のデータが出力され」と本願発明の「前記複数のドライバ出力ラインには、赤、緑及び青の３色のデータが順に並んで並列に入力され、前記複数のデータラインでは、赤、緑及び青の３色のデータが順に並んで並列に出力され」との相当関係について
　
　引用発明１の「映像信号バスを構成する第１伝送線（１０５ないし１１２）」、「２４本の信号線７０７」は、それぞれ、本願発明の「複数のドライバ出力ライン」、「前記複数のデータライン」に相当する。
　したがって、引用発明１の「映像信号バスを構成する第１伝送線（１０５ないし１１２）には、赤、緑及び青の３色のデータが入力され、２４本の信号線７０７では、赤、緑及び青の３色のデータが出力され」と本願発明の「前記複数のドライバ出力ラインには、赤、緑及び青の３色のデータが順に並んで並列に入力され、前記複数のデータラインでは、赤、緑及び青の３色のデータが順に並んで並列に出力され」とは、前記複数のドライバ出力ラインには、赤、緑及び青の３色のデータが入力され、前記複数のデータラインでは、赤、緑及び青の３色のデータが出力されの点で共通する。
　
　よって、前記（１）ないし（６）の相当関係から、引用発明１と本願発明とは、
「ポリシリコン液晶表示装置の駆動回路であって、
　データラインドライバの出力に接続される複数のドライバ出力ラインと、
　ｍ個のブロックを順次選択するためのｍ個のブロック選択信号を出力する部分と、
　表示エリアにデータを供給するための複数のデータラインと、
　ｊをｍより小さい正の整数としたとき、前記ｍ個のブロック選択信号に応じて、ｉ番目の前記ドライバ出力ラインを、
　ｉが奇数の場合、
１＋（ｉ−１）×ｍ＋ｊ×０，　１＋（ｉ−１）×ｍ＋ｊ×１，　・・・，１＋（ｉ−１）×ｍ＋ｊ×（ｍ−１）番目の前記データラインに、
　ｉが偶数の場合、
２＋（ｉ−２）×ｍ＋ｊ×０，　２＋（ｉ−２）×ｍ＋ｊ×１，　・・・，２＋（ｉ−２）×ｍ＋ｊ×（ｍ−１）番目の前記データラインに順次接続するスイッチとを有し、
　前記複数のドライバ出力ラインには、赤、緑及び青の３色のデータが入力され、前記複数のデータラインでは、赤、緑及び青の３色のデータが出力される液晶表示装置の駆動回路。」の点で一致し、以下の点で相違する。
　
（相違点１）
　液晶表示装置が、本願発明では、ポリシリコン液晶表示装置であるのに対して、引用発明１では、そのような限定がされていない点。
　
（相違点２）
　ｍ個のブロック選択信号を出力する部分が、本願発明では、「ｍ個のブロック選択信号を伝送するｍ本のブロック選択信号線」であるのに対して、引用発明１では、「第１クロックサイクル、第２クロックサイクル、及び第３クロックサイクルで順次発生するイネーブル信号を発生するためのシフトレジスタ１０１，１０２，１０３，１０４」である点。
（相違点３）
　ドライバ出力ライン及びデータラインの赤、緑及び青の３色のデータの入出力について、本願発明では、３色のデータが順に並んで並列に入力され、また、順に並んで並列に出力されるのに対して、引用発明１では、そのような限定がされていない点。
　
（相違点４）
　データラインについて、本願発明では、奇数番目のデータラインと偶数番目のデータラインには相互に基準電圧に対して正負反対電圧が供給され、各データラインの正負極性が交互に反転されるのに対して、引用発明１では、そのような限定がされていない点。
　
５　当審の判断
　
（１）相違点１について
　原査定の備考で引用例を示して述べたとおり、ポリシリコン液晶表示装置は周知の技術事項であるから、引用発明１における液晶表示装置を ポリシリコン液晶表示装置と限定することは、当業者が容易に想到し得た事項である
。
　したがって、相違点１に係る本願発明の発明特定事項は、当業者が周知の技術事項に基づいて容易に想到し得た事項である。
　
（２）相違点２
  引用発明１において、「シフトレジスタ１０１ないし１０４」は、アナログスイッチ１１３，１１４，１１５，１１６と、接続されると共に、「第１クロックサイクル、第２クロックサイクル、及び第３クロックサイクルで順次発生するイネーブル信号」、すなわちクロックサイクルに応じた３種類のイネーブル信号を発生するといえる。
　「４−２」の項で述べたとおり、引用刊行物２には、アクティブマトリクス方式の液晶表示装置の駆動回路において、第１図に図示された第一の実施例のように、例えば２つのシフトレジスタを用いた場合、シフトレジスタｌ，２の各出力と各スイッチング素子とが１対１の関係で配線接続されるものや、第３図に図示された第二の実施例のように、シフトレジスタｌ，２を１つのシフトレジスタで共用し、シフトレジスタの各出力と各スイッチング素子とが１対２の関係で配線接続される技術事項が記載されている。
　そして、引用発明１も、引用刊行物２に記載された上記技術事項も、液晶表示装置の駆動回路に属するから、引用刊行物２に記載された上記技術事項を引用発明１における４つのシフトレジスタ１０１ないし１０４と、アナログスイッチ１１３，１１４，１１５，１１６との関係に適用することに、困難性はない。
　してみると、引用発明１に引用刊行物２に記載された上記技術事項を適用したものにおいて、引用発明１の「シフトレジスタ１０１ないしシフトレジスタ１０４」は、１個のシフトレジスタに共用化されると共に、該シフトレジスタの出力側から、アナログスイッチ１１３，１１４，１１５，１１６への配線もイネーブル信号の３種類と同じ数の３本に共用化される結果、引用発明１におけるクロックサイクルの数と同じ「３本」の配線（本願発明でいう「ｍが３の場合のｍ本のブロック選択信号線」）が接続されることになる。また、上記配線の数である３本は、引用発明１における３つの表示領域（本願発明でいう、ｍが３の場合のｍ個のブロック）と一致する数でもある。
　したがって、相違点２に係る本願発明の発明特定事項は、当業者が引用発明１に引用刊行物２に記載された上記技術事項を適用することにより、容易に想到し得た事項である。
　
（３）相違点３
　カラー表示する液晶表示パネルにおいて、赤，緑及び青の各画素を横方向に順次並べて配列したものは、至極一般的な配列形態であるから、ドライバ出力ライン及びデータラインの赤、緑及び青の３色のデータの入出力について、本願発明のように、３色のデータが順に並んで並列に入力され、また、順に並んで並列に出力されるようにすることは、液晶表示装置の駆動回路を設計する際に当業者が適宜なし得た事項に過ぎない。
　したがって、相違点３に係る本願発明の発明特定事項は格別なものではない。
　
（４）相違点４
　液晶表示装置をライン反転交流駆動することは、例示するまでもなく周知の技術事項であり、そのために、引用発明１の複数の信号線７０７に対して、奇数番目の信号線７０７と偶数番目の信号線７０７には、相互に基準電圧に対して正負反対の電圧を供給され、各信号線７０７の正負極性が交互に反転されるようにすることは、周知の技術事項に基づいて当業者が容易に想到し得た事項である。
　したがって、相違点４に係る本願発明の発明特定事項は、当業者が引用発明１に引用刊行物２に記載された上記技術事項を適用することにより、容易に想到し得た事項である
　
　そして、本願発明の奏する効果は、引用刊行物１，２の記載から、当業者が予測し得る範囲内のものに過ぎず、格別なものとはいえない。
　以上のことから、本願発明は、引用発明１、引用刊行物２に記載された技術事項、及び周知の技術事項に基づいて当業者が容易に発明をすることができたものである。
　
６　むすび
　以上のとおり、本願発明は、引用発明１、引用刊行物２に記載された技術事項、及び周知の技術事項に基づいて当業者が容易に発明をすることができたものであるから、特許法第２９条第２項の規定により特許を受けることができない。
　そして、本願発明が特許を受けることができないものであるから、請求項２に係る発明について検討するまでもなく、本願は拒絶すべきものである。
　よって、結論のとおり審決する。